(57)【要約】本発明は、ユーザーの顔面を少なくとも部分的に含む身体表面に貼着するための支持シート（１）を備える顔面ケアのためのマスクであって、支持シート（１）は、身体表面と向かい合うための内側面（２）と呼ぶ第１の面と、内側面（２）と反対側の外側面（３）と呼ぶ第２の面とを備えるマスクにおいて、支持シート（１）の内側面（２）は、身体表面のターゲットゾーン（１６、１７、１８）にそれぞれ貼着されるための機能性領域と呼ぶ複数の領域（６、７、８、１３）を備え、その機能性領域と呼ぶ複数の領域（６、７、８、１３）は、マスクを身体表面と接した状態に保持するように構成された粘着基材（５）と、有効要素を含んだ有効組成物とを含み、機能性領域と呼ぶ複数の領域（６、７、８、１３）のうちの少なくとも２つの機能性領域（６、７、８、１３）は、互いに異なる有効組成物を含むことを特徴とするマスクに関する。本発明は、顔面を少なくとも部分的に含むユーザーの身体表面にケアを与えるための美容組成物または皮膚科学組成物の分野に関する。
2021503987.tif 000002
【特許請求の範囲】
【請求項１】
ユーザーの顔面を少なくとも部分的に含む身体表面に貼着するための支持シート（１）を備える顔面ケアのためのマスクであって、前記支持シート（１）が、
前記身体表面と向かい合うための内側面（２）と呼ぶ第１の面と、
前記内側面（２）と反対側の外側面（３）と呼ぶ第２の面と
を備えるマスクにおいて、
前記支持シート（１）の前記内側面（２）は、前記身体表面のターゲットゾーン（１６、１７、１８）にそれぞれ貼着されるための機能性領域と呼ぶ複数の領域（６、７、８、１３）を備え、前記機能性領域と呼ぶ複数の領域（６、７、８、１３）は、マスクを前記身体表面と接した状態に保持するように構成された粘着基材（５）と、有効要素を含んだ有効組成物とを含み、前記機能性領域と呼ぶ複数の領域（６、７、８、１３）のうちの少なくとも２つの機能性領域（６、７、８、１３）は、互いに異なる有効組成物を含むことを特徴とするマスク。
【請求項２】
前記粘着基材（５）に有効組成物が充填されている請求項１に記載のマスク。
【請求項３】
前記粘着基材（５）は、前記機能性領域（６、７、８、１３）全体に広がる請求項１または２に記載のマスク。
【請求項４】
前記粘着基材（５）は、前記身体表面と表面接触するためのマスクの表面全体に広がる請求項１乃至３のいずれか一項に記載のマスク。
【請求項５】
前記ユーザーの少なくとも口および／または目および／または鼻と向かい合わせに配置するための貫通開口部（４）を備える請求項１乃至４のいずれか一項に記載のマスク。
【請求項６】
前記機能性領域（６、７、８、１３）は、前記ターゲットゾーン（１６、１７、１８）と向かい合わせに、かつ矢状面によって規定される鉛直軸（１０）の両側に対称に広がる請求項１乃至５のいずれか一項に記載のマスク。
【請求項７】
前記機能性領域（６、７、８、１３）は互いに平行に延びる請求項１乃至６のいずれか一項に記載のマスク。
【請求項８】
前記機能性領域（６、７、８、１３）は、矢状面によって規定される鉛直軸（１０）に対して垂直に延びる請求項７に記載のマスク。
【請求項９】
前記機能性領域（６、７、８、１３）は隣接する請求項１乃至８のいずれか一項に記載のマスク。
【請求項１０】
前記機能性領域（６、７、８、８、１３）は互いに間隔が空けられる請求項１乃至９のいずれか一項に記載のマスク。
【請求項１１】
前記支持シート（１）は、軟質プラスチック素材の層を有する請求項１乃至１０のいずれか一項に記載のマスク。
【請求項１２】
前記支持シート（１）は、ポリエチレンテレフタレート（ＰＥＴ）フィルムまたはポリウレタン（ＰＵ）フィルムの中から選ばれた材料を含む請求項１乃至１１のいずれか一項に記載のマスク。
【請求項１３】
前記支持シート（１）は、４０から８０μｍ、好ましくは４０から６０μｍ、好ましくは５０μｍの厚さを有する請求項１乃至１２のいずれか一項に記載のマスク。
【請求項１４】
前記粘着基材（５）は、０．５ｍｍから３ｍｍの厚さを有する請求項１乃至１３に記載のマスク。
【請求項１５】
前記支持シートは、離隔した複数のガルバニ対（１１）を備え、それぞれのガルバニ対（１１）が陽極である第１の導電電極と陰極である第２の導電電極とを備える請求項１乃至１４のいずれか一項に記載のマスク。
【請求項１６】
それぞれのガルバニ対（１１）の前記陽極は第１の金属を含み、それぞれのガルバニ対の前記陰極は、前記第１の金属とは異なる第２の金属を含み、前記第１の金属と前記第２の金属は、異なる標準電位を有する請求項１５に記載のマスク。
【請求項１７】
前記ガルバニ対（１１）は、前記支持シート（１）の前記内側面（２）に設けられる請求項１５または１６に記載のマスク。
【請求項１８】
前記支持シート（１）の前記内側面（２）に、それぞれの機能性領域（６、７、８、８、１３）の前記有効組成物が充填されている前記粘着基材（５）を被着するただ１つのステップを含むことを特徴とする請求項１乃至１７のいずれか一項に記載のマスクの製造方法。
【請求項１９】
前記被着ステップはシルクスクリーン印刷によって実施される請求項１８に記載のマスクの製造方法。
【請求項２０】
前記被着ステップに先立って、前記支持シート（１）の前記内側面（２）に前記ガルバニ対（１１）を形成するステップを含んだステップを含む、請求項１５乃至１７のいずれか一項と組み合わせた請求項１８または１９に記載の製造方法。
【請求項２１】
前記ガルバニ対の前記形成ステップは導電性インクの印刷によって実施される請求項２０に記載の製造方法。
【発明の詳細な説明】
【技術分野】
【０００１】
本発明は、顔面ケアのためのマスクに関する。
【０００２】
本発明は、少なくとも部分的に顔面を含むユーザーの身体表面にケアを施すための美容分野または皮膚科学分野に関する。
【背景技術】
【０００３】
美容の分野には、肌、とりわけ顔面の審美的側面の改善を特に意図した様々な組成物が含まれる。顔面は、その部位に対するユーザーの注目度からして化粧品メーカーにとって主要なターゲットの１つとなっている。顔面は、細胞の極度の生理学的多様性が、したがって個々のゾーンを画定する肌の組織、外見および性質の多様さがその狭い範囲に集まっているという点で、特徴的かつ独特な身体表面の部位である。顔面のこれら異なるゾーンは、しばしば異なるニーズを有する。そのため、額、鼻および鼻翼、ならびに場合により顎までを含む顔面の正中部に相当するＴゾーンをターゲットにしたピュリファイング成分は、頬には乾燥をもたらす可能性がある。反対に、モイスチャー成分はＴゾーンをテカらせる可能性がある。これら異なる部位には異なるケアが必要となる。
【０００４】
フェーストリートメントキットの中には、ある部位にある組成物を塗布し、別の部位に別の組成物を塗布することがユーザーに提案されているものがある。
【発明の概要】
【発明が解決しようとする課題】
【０００５】
しかし、そうしたキットは効率が悪いことに気づかされてきた。実際、ユーザーは組成物とトリートメントゾーンへのその塗布に自分一人で対処するよう仕向けられる。また、量に関しても、塗布ゾーンや塗布方法に関しても、塗布指示は必ずしも守られるわけではない。さらに、塗布が非対称になるケースも見受けられ、それがユーザーにとって期待外れの結果につながっている。
【０００６】
そこで、さほど複雑でなく、ユーザーにとって満足度の高い解決策を生み出す必要がある。
【課題を解決するための手段】
【０００７】
そのため、本発明は、有利にはユーザーの顔面を少なくとも部分的に含む身体表面に直接的または間接的に貼着するための支持シートを備える顔面ケアのためのマスク、有利には美容マスクに関する。支持シートは、身体表面と向かい合うための内側面と呼ぶ第１の面と、内側面と反対側の外側面と呼ぶ第２の面とを備える。支持シートの内側面は、身体表面のターゲットゾーンに対して、またはそれと向かい合わせにそれぞれ貼着されるための機能性領域と呼ぶ複数の領域を備える。機能性領域と呼ぶ複数の領域は、マスクを身体表面と接した状態に保持するように構成された粘着基材と、有効要素を含んだ有効組成物とを含み、機能性領域と呼ぶ複数の領域のうちの少なくとも２つの機能性領域が、互いに異なる有効組成物を含む。
【０００８】
提案する解決策は、トリートメントを行うべきそれぞれのゾーンに的を絞ってケアを施すことができ、しかもそれを全体的に、かつ同時に行うことができる。
【０００９】
そのため、本発明は、個々のターゲットゾーンに的を絞った異なる有効組成物が与えられるように構成された様々な機能性領域を有する顔面ケア用のユニークな製品を提案するという利点を有する。ユーザーは、各ターゲットゾーンにそれぞれ適合した様々なケアによる同時トリートメントを一挙に行う。有効組成物の塗布は場所を絞って行われ、有効分の量もあらかじめ定められることで、ユーザーに疑心や製品の間違った塗布を生じさせないようにする。
【００１０】
有効組成物の塗布、したがってトリートメントは、有利には対称形に行うことで満足のゆく結果が得られる。
【００１１】
有利には、粘着基材には有効組成物が充填される。これは、粘着基材に有効組成物を混ぜることを意味する。それにより、異なる有効組成物が含まれた異なる粘着基材が身体表面と向かい合わせになるための支持シートの内側面の機能性領域と呼ぶ様々な領域に案配される。
【００１２】
有利には、マスクは、少なくとも目および／または鼻および／または口と向かい合わせに配置されるための貫通開口部を備える。これらの開口部は、ユーザーの目および／または口および／または鼻を覆わないようにすることで、マスク使用の快適性を向上させる。
【００１３】
好ましい可能性によれば、マスクは、顔面の大半、より具体的には、額、目の周り、こめかみ、頬、顎、鼻を覆う。
【００１４】
それに代わる可能性によれば、マスクは顔半分用マスク（ｌｏｕｐ）の形状をなし、額および目の周りを覆う。
【００１５】
変形形態によれば、本発明は、支持シートの内側面にそれぞれの機能性領域の有効組成物を含んだ粘着基材を、有利にはシルクスクリーン印刷によって被着するただ１つのステップを含む、前述のようなマスクの製造方法に関する。
【００１６】
この製造方法は、それぞれの機能性領域の各種粘着基材を一度に被着することを可能にするもので、その際、機能性領域に被着した粘着基材がそれ以降の被着ステップで損傷するリスクにさらされることがないようにする。たとえば、被着後の粘着基材が次のスクリーンに密着して、次の機能性領域の粘着基材の被着を行うことができる。
【００１７】
さらに、シルクスクリーン印刷の１回のステップによるこの方法は、製造時間、必要なマンパワー、したがって製造コストを減らすことができる。
【００１８】
この変形形態によれば、本発明はまた、フレーム、有利には平行六面体のフレームであって、対向する２つの辺の内側面にそれぞれ向かい合わせに横断方向に設けられた少なくとも２つの平行な切欠きを有するフレームを備えるシルクスクリーン装置にも関する。装置は、その少なくとも２つの切欠きと協働するための少なくとも１つの分離板を備えることによって、マスクの機能性領域を画定する。有利には、分離板は、切欠きのある対向する２つの辺に対して垂直に設けられる。
【００１９】
好ましくは、装置は、マスクの形状および粘着基材の塗着ゾーンを画定するためにフレーム上に配置されたスクリーンを備える。有利には、スクリーンは、マスクの有効表面を画定する。
【００２０】
図面は例として示すものであり、本発明を限定するものではない。図面は、本発明の理解を容易にするための原理的な概略図であり、必ずしも実際の適用時の縮尺に則ったものではない。
【図面の簡単な説明】
【００２１】
【図１】第１の実施形態によるマスクの正面図である。
【図２】第２の実施形態によるマスクの正面図である。
【図３】第３の実施形態によるマスクの正面図である。
【図４】第４の実施形態によるマスクの正面図である。
【図５】第１の実施形態によるマスクの、ユーザー顔面への貼着の図である。
【図６】図１によるマスクの断面図である。
【図７】図３によるマスクの断面図である。
【図８】第２および第４の実施形態による、マスクの製造方法に適合されたシルクスクリーン装置の図である。
【発明を実施するための形態】
【００２２】
本発明の実施形態の精査に取りかかる前に、組み合わせて、または代替的に場合に応じて利用可能な任意選択の特徴を以下に挙げておく。
【００２３】
有利には、粘着基材は、それだけでマスクと身体表面との間の接触を保持することができる。
【００２４】
有利には、粘着基材には、有効組成物が充填されてよい。
【００２５】
有利には、粘着基材は、機能性領域全体に広がり、それによって身体表面に対するマスクの正しい保持と、向かい合うターゲットゾーン全体のトリートメントとが果たされるようにすることができる。
【００２６】
有利には、粘着基材は有効表面全体に広がる。有効表面とは、マスクの内側面の表面全体を意味する。有効表面は、身体表面に接触しているマスクの表面である。
【００２７】
有利には、身体表面には顔面が含まれる。
【００２８】
有利には、身体表面には首および／または胸が含まれる。
【００２９】
有利には、マスクは、有利には快適さを目的とした貫通開口部であって、ユーザーの少なくとも口および／または目および／または鼻と向かい合わせに配置するための開口部を備える。
【００３０】
有利には、機能性領域は、ターゲットゾーンと向かい合わせに、かつ矢状面によって規定される鉛直軸の両側に対称に広がり、顔面に対して対称にトリートメントを行うことでユーザーに満足のゆく結果をもたらす。
【００３１】
有利には、機能性領域は、互いに平行に延びることで、シルクスクリーン印刷などによる製造の簡易性を得ることを可能にする。
【００３２】
有利には、機能性領域は、矢状面によって規定される鉛直軸に対して垂直に延びる。
【００３３】
有利には、機能性領域は隣接する。
【００３４】
有利には、機能性領域同士は、５ｍｍ以下、好ましくは１ｍｍの間隔が空けられる。
【００３５】
有利には、支持シートは、ポリエチレンテレフタレート（ＰＥＴ）フィルムまたはポリウレタン（ＰＵ）フィルムの中から選ばれた材料を含む。
【００３６】
有利には、支持シートは、２０から１２５μｍ、好ましくは２０から８０μｍ、好ましくは８０μｍの厚さを有する。
【００３７】
有利には、支持シートは、軟質プラスチック素材の層を有する。
【００３８】
有利には、粘着基材は０．５から３ｍｍの厚さを有する。
【００３９】
有利には、支持シートは、離隔した複数のガルバニ対を備え、それぞれのガルバニ対が陽極である第１の導電電極と陰極である第２の導電電極とを備える。
【００４０】
有利には、ガルバニ対は、支持シートの内側面に設けられる。
【００４１】
有利には、それぞれのガルバニ対の陽極は第１の金属を含み、それぞれのガルバニ対の陰極は、第１の金属とは異なる第２の金属を含み、第１の金属と第２の金属は、異なる標準電位を有する。
【００４２】
有利には、ガルバニ対は、支持シートの内側面に設けられる。
【００４３】
変形形態によれば、本発明は、先行する請求項のいずれか一項に記載のマスクの製造方法において、支持シートの内側面に、それぞれの有効領域の有効組成物が充填されている粘着基材を、有利にはシルクスクリーン印刷によって、被着するただ１つのステップを含むことを特徴とする方法に関する。
【００４４】
有利には、方法は、被着ステップに先立って、支持シートの内側面に、有利には導電性インクの印刷によって、ガルバニ対を形成するステップを含んだステップを含む。
【００４５】
変形形態によれば、本発明は、前述の方法を実施するための装置において、フレームの対向する２つの辺の内側面に互いに向かい合わせにそれぞれ設けられた少なくとも２つの平行な切欠きを有するシルクスクリーンフレームであって、その少なくとも２つの切欠きがその辺に対して横断方向に配置された、フレームと、その少なくとも２つの切欠きと協働して、マスクの機能性領域を分離するための少なくとも１つの分離板とを備えることを特徴とする装置に関する。
【００４６】
有利には、装置は、少なくとも１つの溝を有する少なくとも１つのスキージであって、フレームおよび少なくとも１つの分離板と協働するように構成されたスキージを備える。
【００４７】
本発明によるマスクは、内側面２とも呼ぶ第１の面と、外側面３とも呼ぶ第２の面とを有する支持シート１を備える。第１の面と第２の面は互いに反対側にある。内側面２は、ユーザーの肌に向き合うように用意される。好ましくは、内側面２は、ユーザーの身体表面に対して、直接であれ、間接的であれ、接触するように用意される。直接接触とは、内側面２が身体表面に貼着されることを意味する一方、間接接触の場合には、内側面２と身体表面との間に少なくとも１つの層または１つの要素が挟まれる。身体表面とは、ユーザーの皮膚膜、すなわち肌のことをいう。身体表面は、ユーザーの肌の様々な表面であることができる。
【００４８】
本発明によれば、マスクは、有利には柔軟であり、より具体的には、支持シート１は柔軟な層である。その柔軟性は、周縁上の対向する２つの点を、支持シート１を傷めることなく合着できるほどである。そのため、本発明によるマスクは、マスクが貼着される対象の身体の貼着ゾーンに対して、とりわけユーザーの顔面の形状に対して容易に適応し、それによってマスクと肌との間で、十分な表面接触が果たされて効果的なケアが得られる。
【００４９】
本発明によるマスクは、顔面のケアのために用意される。このマスクは、美容的および／または皮膚科学的用途を有することができる。このマスクは、顔面の少なくとも一部分に、好ましくは顔面全体に貼着されるように用意される。可能性によれば、マスクは、首の方へ、少なくとも部分的に首を覆うために、顔面の先まで延びることもできる。マスクは、累加的または代替的にデコルテの方へ、すなわち胸上部まで延びることもできる。
マスクは、顔半分用マスク、すなわち目の周囲を覆うマスクであろうと、図示したような人の顔面の大部分を覆うマスクであろうと、様々な形状をなすものであることができる。これは、支持シート１が、有利には少なくとも両目を露出させるための開口部４を備えた顔面マスクの形状を有することを意味する。
【００５０】
既知の美容マスクは、ユーザーの肌に一定時間貼着させてケアを行う美容組成物である。組成物は、不織布、紙またはポリマーフィルムのような基質と組み合わされている。基質の利用は、ユーザーによる美容組成物の塗布を容易にする。一般に、基質には、美容組成物が含浸された上で販売用にパッケージングが施される。そうした製品の機能性は、主として美容組成物の機能性に依存し、より直接的には、その美容組成物に使用されている有効成分に依存する。このように、既知のマスクでは、トリートメントは、マスクの表面全体にわたって、すなわち美容組成物によるトリートメントを受ける肌の表面全体にわたって同一である。
【００５１】
本発明において特徴的なこととして、本発明のマスクの内側面２は、身体表面と表面接触するように用意されるマスクの表面に対応する有効表面を有する。有効表面には、機能性領域と呼ぶ少なくとも２つの領域６、７、８、１３が含まれる。機能性領域と呼ぶ領域は、身体表面のターゲットゾーン１６、１７、１８に貼着されるように用意される。それぞれの機能性領域６、７、８，１３は、少なくとも１つの有効要素を含んだ異なる有効組成物を含む。そのため、それぞれの機能性領域は、対応する身体表面のターゲットゾーンに対して個別的なケアを与えることができる。有効組成物は、肌の表面へ、さらに受動的移行によって表皮の上部層を通して送達される。
【００５２】
機能性領域６、７，８は、マスクの目的であるトリートメントの対象となるターゲットゾーンに適合した様々な形状をなすものであることができる。
【００５３】
本発明の目的により、顔面のそれぞれのゾーンのトリートメントを、たとえば額および口周りのシワ対策の組成物、目の下のクマ対策の組成物、頬のためのクーデクラ（ｃｏｕｐ  ｄ‘ｅｃｌａｔ）およびアンチインパーフェクション（ａｎｔｉ−ｉｍｐｅｒｆｅｃｔｉｏｎｓ）組成物などによって、すべて同時に一挙に行うことが可能となる。
【００５４】
図１および３に示した第１の実施形態によれば、機能性領域６、７、８、１３は、トリートメントを行うターゲットゾーン１６，１７、１８に対して相補的な形状を有する。好ましくは、機能性領域は、矢状面によって規定される鉛直軸１０の両側に対称に広がる。鉛直軸１０は、マスクを額から顎まで縦断する。
【００５５】
図２および４に示した第２の実施形態によれば、機能性領域６、７、８、１３は、互いに平行に延びる。機能性領域は、有利には互いに平行な帯状をなす。帯は、前述の鉛直軸１０に対して横断方向に延びる。
【００５６】
この実施形態によれば、機能性領域６、７、８、１３は、近接したものであっても、間隔を空けたものであってもよい。
【００５７】
有利には、それぞれの機能性領域は、マスクを肌に接した状態に保持することなどを目的とした、粘着基材５を含む。
【００５８】
好ましくは、粘着基材５は、０．５から３ｍｍの厚さを有する。
【００５９】
粘着基材５は柔軟であり、すなわち、粘着基材５は、支持シート１の柔軟性を変えることがないように構成される。基材は、粘着性と称されるものであり、すなわち、基材は、ユーザーの肌に対してマスクを保持するように構成される。好ましくは、マスクは、粘着基材５によってのみ肌に接した状態で保持される。粘着基材５は、それが貼着された肌に一時的に密着または粘着させるためのものである。そのため、粘着基材５は、アクリル酸、ポリアクリレート、ポリイソブチレン、ポリビニルピロリドン、シリコーンの中から選ばれる少なくとも１つの粘着材を含む。一例として、基材は、Ｃ／５法で測定して１から１５０Ｋの間、好ましくは１００Ｋから１５０Ｋ、より好ましくは１２５ＫｃＰｓの粘度を有する。
【００６０】
粘着基材５は、各機能性領域６、７、８、１３の内側面２全体を覆う。好ましくは、よりよい保持が得られるようにするため、粘着基材５は、内側面２の有効表面の全体に存在する。
【００６１】
有効組成物は、ユーザーの肌４に投与するための少なくとも１つの有効要素を含む。有効要素とは、ユーザーに対して治療的または美容的効果を有する物質をいう。
【００６２】
本発明によるマスクは、少なくとも２つの異なる有効組成物を含み、そのそれぞれがマスクの機能性領域レベルに案配される。マスクは、可能性に応じて、機能性領域の数と同じ数の有効組成物を含む。
【００６３】
好ましい可能性によれば、有効組成物は粘着基材と混合される。すなわち、マスクは、異なる有効組成物を含むため、少なくとも２つの異なる粘着基材を含むことになる。
【００６４】
支持シート１は、紙、プラスチックまたは水に不溶のポリマー、織物（織布など）および不織物（不織布）のような様々な材料からなるものであることができる。支持シートは、包帯やテーピングに広く使われている生地材料のような、木綿または合成繊維の層のような（それだけに限らない）「呼吸する」材料を含むことができる。支持シート１は、有利にはポリエチレンテレフタレート（ＰＥＴ）またはポリウレタン（ＰＵ）製である。好ましくは、支持シート１は柔軟なフィルムである。
【００６５】
好ましくは、支持シート１は、２０μｍから１２５μｍ、好ましくは８０μｍの厚さを有する。
【００６６】
支持シート１の柔軟性は、貼着対象の身体の貼着ゾーンの形状に合わせることを可能にする。
【００６７】
有利には、支持シート１は、ユーザーの快適さを目的とした貫通開口部４を備える。貫通開口部は、マスクの形状に応じて目、および／または唇もしくは口および／または鼻と向かい合わせに配置されるものとして用意される。貫通開口部４は、目の形に対応して支持シート１に形成された穴である。唇に関しては、開口部４は、支持シート１に口の形に形成された穴であっても、ユーザーが口を開けることができるように支持シート１を貫通した単なるスリットであってもよい。鼻に関しては、開口部４は、支持シート１に鼻の形に形成された穴であっても、鼻の先を通せるように支持シート１を貫通したスリットまたは切取り線１２、１４であってもよい。
【００６８】
図３および４に示した実施形態によれば、マスクは、散在する複数のガルバニ対１１を備え、それぞれのガルバニ対は、陽極である第１の導電電極と陰極である第２の導電電極とを備える。ガルバニ対１１は、支持シート１の内側面２に配置される。
【００６９】
本明細書で使用される電気の発生とは、第１の導電電極と第２の導電電極との間でマスクが貼着された肌を自由電子が通り抜けることができることを意味する。この自由電子の流れは、肌に対する刺激に関してそれ自体が効果をもつことに加え、有効組成物の移動、より具体的には有効要素の肌への移動、さらには肌を貫く移動を改善する。
【００７０】
それぞれのガルバニ対の陽極の第１の金属と陰極の第２の金属は、異なる標準電位を有するように選択される。使用時には、肌は、陽極と陰極との間の導電性を提供し、それによって肌を通した微小電流の流れを可能にする。陽極を形成する第１の金属として亜鉛を、陰極を形成する第２の金属として塩化銀を使用する場合は、およそ４０ｍＡの微小電流を発生させることができる。
【００７１】
有利には、第１の金属は、肌と接することで酸化し、それによって第２の金属とガルバニ対を作り出すように構成される。
【００７２】
ガルバニ対をもたらす材料の例としては、これだけに限らないが、銀亜鉛、酸化亜鉛−銀、ハロゲン化亜鉛−銀、塩化亜鉛−銀、臭化亜鉛−銀、ヨウ化亜鉛−銀、およびフッ化亜鉛−銀が挙げられる。
【００７３】
有利には、マスクは受動素子であり、すなわち外部電源を含むものでも、外部電源と接続されるものでもない。ガルバニ対１１の電極間を流れる電流は、局所的に自己発電される。
【００７４】
導電電極は、当業において既知の適合したあらゆる被着技術を用いて支持シート１に付着させることができる。たとえば、第１の導電電極および第２の導電電極のいずれか一方またはその両方は、金属箔、糸もしくはメッシュ、または金属で被覆した織物、または金属ならびにその酸化物、ハロゲン化物および硫化物で被覆した織物のような別の材料であることができる。
【００７５】
変形形態として、第１の導電電極および第２の導電電極は、当業において既知であるような化学的被着のための自己触媒めっきや電気化学的被着のための電着のような化学的被着または電気化学的被着を用いて、支持シート１に被着することができる。第１の導電電極および第２の導電電極は、シルクスクリーン印刷、スプレー噴射、グラビア印刷、レーザー印刷、パッド印刷、ドットマトリックス印刷、浸漬、真空蒸着またはその他の印刷もしくは転写の方法などによる物理的被着によって、支持シート１に被着することもできる。
【００７６】
本発明の好ましい実施形態によれば、導電電極は、シルクスクリーン印刷のためのシルクスクリーンインクまたはレーザー印刷のためのジェットレーザー印刷インクのような、材料の被着方法にふさわしいインクにガルバニ材料を配合することで作ることができ、溶剤、結合剤または可塑剤のような成分を含むことができる。
【００７７】
本発明によるマスクに使用されるガルバニ対１１のサイズは、個別の用途次第であることができる。美容目的でのマスクの使用に適した実施形態では、ガルバニ対は、典型的にはおよそ４ｃｍ2を超えない面積を占める。人の顔面などでの使用に適したものであるためには、ガルバニ対を形成する金属要素は、典型的には正方形でない形状をなす。その形状は、マスクを貼着する肌の個別の表面に適合するために、楕円形またはその他の形状であることができる。
【００７８】
別の実施形態では、それぞれのガルバニ対１１は、およそ２ｃｍ2を超えない面積、たとえば１ｃｍ2を超えない面積を占める。各ガルバニ対の全体の大きさは、およそ０．０１ｃｍ2からおよそ１０ｃｍ2の範囲で変動し得る。
【００７９】
ガルバニ対１１は、それぞれが互いに散在していること、すなわち個々のガルバニ対が切り離されており、互いが接していないことを条件に、いくつかのやり方で配置されることができる。ガルバニ対は、電気の密度を上げ、または下げるように希望に合わせて配置することができる。
【００８０】
有利には、有効組成物を含む粘着基材５は、使用前のその酸化を防ぐため、ガルバニ対の第１の金属を覆わない。有利には、少なくとも第１の金属は、肌に接触する。
【００８１】
有利な可能性によれば、支持シート１の外周、周縁は、凹形などをなすいくつかの切込み９を備える。これらの切込み９は、支持シート１とユーザーの肌との接触をよくするために、支持シート１を部分的に曲げるように適合される。
【００８２】
本発明によるマスクは、支持シート１を被覆するため、とりわけマスクの使用前に粘着基材５を被覆するための、除去可能な剥離紙を備えることができる。裏紙は、典型的にはポリマーシートまたはポリマーを被せた紙もしくは織物であり、使用される粘着基材に対しては粘着力が弱いため、ケア用マアスクを傷めることなしに、その使用前に容易に取り去ることができる。剥離紙のために典型的に使用されるポリマーの例としては、シリコーンやポリエチレンがある。
【００８３】
本発明の変形形態によれば、製造方法は、複数の機能性領域に対して粘着基材５を被着するただ１つのステップを含む。
【００８４】
製造方法は、粘着基材５の被着ステップに先立ち、ガルバニ対１１の形成ステップを場合によって含む。ガルバニ対１１は、支持シート１の内側面２に形成される。ガルバニ対１１の形成は、有利には前述の方法によって行われる。好ましくは、ガルバニ対１１は、導電性インクの印刷、特にシルクスクリーン印刷によって形成される。
【００８５】
第１の可能性によれば、粘着基材５の被着は、デジタル印刷によって行われる。好ましい第２の可能性によれば、被着は、シルクスクリーン印刷によって行われる。この種の被着は、迅速性およびコスト面で優位性をもつ。
【００８６】
シルクスクリーン印刷による粘着基材５の被着ステップは、マスクの機能性領域６、７、８、１３を分けるための少なくとも１つの分離板２５が装備されたシルクスクリーンフレーム１９の、マスクの支持シート１１への装着を含む。粘着基材５の被着ステップは次いで、機能性領域６、７、８、１３のそれぞれに対する有効組成物と混合した粘着基材５の塗着であって、有利には同時に行われる塗着を含む。有利には、フレーム１９および分離板２５に対して相補的な形状のスキージ２３によって、マスクの各機能性領域６、７、８、１３に対する有効組成物を含む粘着基材５の同時塗着が可能となる。
【００８７】
この製造方法は、複数の機能性領域６、７、８、１３を備える本発明によるマスクを、ただ１つのステップのシルクスクリーン印刷で行うことができるという点において、とりわけ効率的である。そのため、製造時間は大幅に短縮される。さらに、各機能性領域６、７、８、１３の粘着基材５の塗着を同時に行うことにより、シルクスクリーン印刷の方法で従来用いられてきた後続のスクリーンがある場合の、粘着基材５の付着のリスクを回避することができる。
【００８８】
本発明のこの変形形態では、シルクスクリーン法を実施するための装置が想定される。この装置は、有利には平行六面体である形状のシルクスクリーンフレーム１９を備える。フレームは、２つずつが平行で対向する４つの辺を備える。装置は、フレーム１９内に張られたスクリーン（図示せず）を備える。スクリーンは、ステンシルと同じように、切り取られたゾーンと残されたゾーンを含む。有利には、スクリーンは、マスクの形状と相補的な切り取られたゾーンと残されたゾーンとを有する。たとえば、残されたゾーンは、マスクの貫通開口部４および／またはガルバニ対１１に対応し、塗着される粘着基材５がそれらのゾーンを覆わないようにする。好ましくは、スクリーンは、マスクの有効表面を画定する。フレーム１９は、フレーム１９の対向する辺２１のうちの２つの辺の内側面２２に、分離板２５を受けるように設けられた切欠き２０を有する。切欠き２１は、フレーム１９の対向する辺２１のうちの２つの互いに向かい合わせの内側面２２に振り分けられる。切欠き２０は互いに平行であり、切欠きが形成された辺２１に対して横断方向に延びる。分離板２５は、取外し可能な要素であり、スキージ２３によって変形されないだけの十分な剛性を有し、切欠き２０が付いた２つの辺に対して横断方向に、かつ互いに平行に配置されるように用意される。スキージ２３は、分離板２５と協働するための溝２４を備える。切欠き２０の間隔は、２つの分離板２５の間隔または分離板２５とフレーム１９との間隔に対応する。この間隔は、機能性領域６、７、８、１３の幅に対応する。図８は、本発明のこの変形形態による装置を表している。
【００８９】
図１には、第１の実施形態によるマスクを示す。マスクは、ユーザーの顔面の大半を覆うように用意される。マスクは、貫通開口部４、特に第１の開口部４ａおよび第２の開口部４ｂを備えることで、マスク使用時にユーザーの目が覆われることがないようにすることができる。支持シート１は、マスク使用時にユーザーの口が覆われるのを防ぐための、第３の開口部４ｃをさらに備える。支持シート１は、人の鼻の下部の形をした切取り線１２をさらに備える。切取り線１２は、ユーザーの鼻の下部の周りに支持シート１を位置決めすることを可能にする。
【００９０】
マスクは、６つの機能性領域６、７、８、１３を備え、
−  機能性領域６ａおよび６ｂは、こめかみに相当するターゲットゾーン１６に貼着されるように用意される。機能性領域６ａおよび６ｂは、同一の有効組成物を含み、矢状面に沿って延びる鉛直軸１０の両側に対称に配置される。
−  機能性領域７は、額および目の下に相当するターゲットゾーン１７に貼着されるように用意される。機能性領域７は、同一の有効組成物を含み、矢状面に沿って延びる鉛直軸１０の両側に対称に配置された２つのサブ領域７ａ、７ｂを備える。
−  機能性領域８ａおよび８ｂは、頬に相当するターゲットゾーン１８に貼着されるように用意される。機能性領域８ａおよび８ｂは、同一の有効組成物を含み、矢状面に沿って延びる鉛直軸１０の両側に対称に配置される。
−  機能性領域１３は、顎に相当するターゲットゾーン１９に貼着されるように用意される。機能性領域１３は、同一の有効組成物を含み、矢状面に沿って延びる鉛直軸１０の両側に対称に配置された２つのサブ領域１３ａ、１３ｂを備える。
【００９１】
機能性領域は、互いに最大５ｍｍ、好ましくはむしろ１ｍｍ程度の間隔が空けられ、ケア同士の近接性を得ることで肌の表面全体のトリートメントが可能とされる。
【００９２】
この実施形態によれば、機能性領域は、デジタル印刷によって形成される。
【００９３】
図２には、第２の実施形態によるマスクを示す。マスクは、ユーザーの顔面の大半を覆うように用意される。マスクは、図１について説明したものと似通った形状をなす。マスクは、貫通開口部４、特に目のための第１の開口部４ａおよび第２の開口部４ｂ、口のための第３の開口部４ｃ、鼻の先のための開口部４ｄを備える。支持シート１は、鼻の両側の長手方向部分の形状を有する切取り線１４をさらに備え、それによってユーザーの鼻に対する支持シート１の位置決めが可能となる。
【００９４】
マスクは、４つの機能性領域６、７、８、１３を備え、
−  機能性領域６は、こめかみおよび額に相当するターゲットゾーン１６に貼着されるように用意される。機能性領域６は、矢状面に沿って延びる鉛直軸１０に対して、好ましくは垂直をなして、ほぼ横断方向に延びる。
−  機能性領域７は、目の下および鼻の上に相当するターゲットゾーン１７に貼着されるように用意される。機能性領域７は、矢状面に沿って延びる鉛直軸１０に対して、好ましくは垂直をなして、ほぼ横断方向に延びる。
−  機能性領域８は、頬に相当するターゲットゾーン１８に貼着されるように用意される。機能性領域８は、矢状面に沿って延びる鉛直軸１０に対して、好ましくは垂直をなして、ほぼ横断方向に延びる。
−  機能性領域１３は、顎に相当するターゲットゾーン１９に貼着されるように用意される。機能性領域１３は、矢状面に沿って延びる鉛直軸１０に対して、好ましくは垂直をなして、ほぼ横断方向に延びる。
【００９５】
機能性領域は、シルクスクリーン印刷による製造方法では、分離板の存在によって互いに間隔が空けられる。この実施形態によれば、機能性領域は、シルクスクリーン印刷によって形成される。
【００９６】
図３および図４はそれぞれ、図１および図２の実施形態であって、前述のようなガルバニ対１１をさらに備えた実施形態に対応している。
【００９７】
図６には、図１または２の実施形態によるマスクの断面図が示されており、この図では上から下に、外側に向けられることから外側面３である第２の面と、ユーザーの身体表面に、したがって内側に向けられる内側面２である第１の面とを有する支持シート１を見て取ることができる。内側面２は、ユーザーの肌と接触するための有効組成物１２を含んだ粘着基材１１で覆われる。
【００９８】
図７には、図３または４の実施形態によるマスクの断面図が示されており、この図では上から下に、外側面３と、散在するガルバニ対１１を受ける内側面２とを有する支持シート１を見て取ることができる。内側面２は、ユーザーの肌と接触するための有効組成物１２を含んだ粘着基材１１によって覆われるが、ガルバニ対は覆われない。
【符号の説明】
【００９９】
１  支持シート
２  内側面
３  外側面
４  貫通開口部
５  粘着基材
６ａ、６ｂ  機能性領域
７ａ、７ｂ  機能性領域
８ａ、６ｂ  機能性領域
９  切込み
１０  鉛直軸
１１  ガルバニ対
１２  切取り線
１３ａ、１３ｂ  機能性領域
１４  切取り線
１６ａ、１６ｂ  ターゲットゾーン
１７ａ、１７ｂ  ターゲットゾーン
１８ａ、１８ｂ  ターゲットゾーン
１９  フレーム
２０  切欠き
２１  対向する辺
２２  内側面
２３  スキージ
２４  溝
２５  分離板
【図１】
2021503987.tif 000003
【図２】
2021503987.tif 000004
【図３】
2021503987.tif 000005
【図４】
2021503987.tif 000006
【図５】
2021503987.tif 000007
【図６】
2021503987.tif 000008
【図７】
2021503987.tif 000009
【図８】
2021503987.tif 000010
【国際調査報告】
2021503987.tif 000011
2021503987.tif 000012
2021503987.tif 000013
2021503987.tif 000014